(57)【要約】【課題】製造手順管理方法及び製造手順管理プログラムにおいて、重複した情報の増加を防止すると共に製造手順情報の管理を効率的に行う。【解決手段】系列製品群の製造手順（PP(x,y,z)）を、仕様属性種（ｘ，ｙ，ｚ）を有し仕様属性値に応じて加工手順が決定される仕様別加工手順群（Proc1(y)）、又は、仕様属性値によらず予め決定されている加工手順（部品ａ，ｂ）、の順列と、仕様別加工手順又は加工手順で使用される、仕様属性種を有し仕様属性値に応じて部品が決定される仕様別部品群（Part1(x)）、又は、仕様属性値によらず予め決定されている部品（部品ａ，ｂ）と、仕様別加工手順又は加工手順の詳細を表した、仕様属性種を有し仕様属性値に応じて説明情報が決定される仕様別説明情報群（Exp1(x)，Fig1(x)）、又は、仕様属性値によらず予め決定されている説明情報（説明文１，説明図１，２）と、を含むように管理する。【選択図】図６
2011003115.tif 000002
【特許請求の範囲】
【請求項１】
製造すべき製品の製造手順情報を、コンピュータを用いて管理する製造手順情報管理方法において、
複数の仕様属性種のそれぞれに固有の仕様属性値を指定することで一意の製品を特定することができるように、予め任意に定めた前記仕様属性種の組を持つ製品の集合を系列製品群として管理し、
前記系列製品群の製造手順を、
１つ以上の前記仕様属性種を有し前記仕様属性値に応じて加工手順が決定される仕様別加工手順群、又は、前記仕様属性値によらず予め決定されている加工手順、の順列と、
前記仕様別加工手順又は前記加工手順で使用される、１つ以上の前記仕様属性種を有し前記仕様属性値に応じて部品が決定される仕様別部品群、又は、前記仕様属性値によらず予め決定されている部品と、
前記仕様別加工手順又は前記加工手順の詳細を表した、１つ以上の前記仕様属性種を有し前記仕様属性値に応じて説明情報が決定される仕様別説明情報群、又は、前記仕様属性値によらず予め決定されている説明情報と、
を含むように管理する、
ことを特徴とする製造手順情報管理方法。
【請求項２】
前記説明情報は、前記加工手順の詳細を表した説明文を含むことを特徴とする請求項１記載の製造手順情報管理方法。
【請求項３】
前記説明情報は、前記加工手順の詳細を表した説明図を含むことを特徴とする請求項１又は請求項２記載の製造手順情報管理方法。
【請求項４】
前記説明情報は、前記製品が製造される環境によって変化する環境依存情報を含み、
前記製品が製造される環境に応じて決定された前記環境依存情報によって、特定の製品の特定の環境での前記説明情報を一意に特定する、
ことを特徴とする請求項１から請求項３のいずれか１項記載の製造手順情報管理方法。
【請求項５】
製造すべき製品の製造手順情報の管理をコンピュータに行わせるための製造手順情報管理プログラムにおいて、
複数の仕様属性種のそれぞれに固有の仕様属性値を指定することで一意の製品を特定することができるように、予め任意に定めた前記仕様属性種の組を持つ製品の集合を系列製品群として管理する機能と、
前記系列製品群の製造手順を、
１つ以上の前記仕様属性種を有し前記仕様属性値に応じて加工手順が決定される仕様別加工手順群、又は、前記仕様属性値によらず予め決定されている加工手順、の順列と、
前記仕様別加工手順又は前記加工手順で使用される、１つ以上の前記仕様属性種を有し前記仕様属性値に応じて部品が決定される仕様別部品群、又は、前記仕様属性値によらず予め決定されている部品と、
前記仕様別加工手順又は前記加工手順の詳細を表した、１つ以上の前記仕様属性種を有し前記仕様属性値に応じて説明情報が決定される仕様別説明情報群、又は、前記仕様属性値によらず予め決定されている説明情報と、
を含むように管理する機能と、
を実現することを特徴とする製造手順情報管理プログラム。
【発明の詳細な説明】
【技術分野】
【０００１】
本発明は、製造すべき製品の製造手順情報を管理する製造手順情報管理方法及び製造手順情報管理プログラムに関する。
【背景技術】
【０００２】
従来、製品を製造する際、現場の作業者は、製造手順情報を出力した製造手順書を参照しながら作業を進めている。このような製造手順書を簡単に作成するための作業手順書作成装置が提案されている（例えば、特許文献１参照）。
【０００３】
上記特許文献１記載の作業手順書作成装置は、製品の構成部品と加工手順との組み合わせで表現される製品の製造手順情報をデータベースに保持している。
【先行技術文献】
【特許文献】
【０００４】
【特許文献１】特開２００１−２６５７５６号公報
【発明の概要】
【発明が解決しようとする課題】
【０００５】
しかしながら、上記特許文献１記載の作業手順書作成装置では、構成部品や加工手順の差異が微細な製品を管理する場合、その差異が少ないほど製品間で構成物品及び加工手順の情報の重複が多くなってしまう。
【０００６】
そのため、重複した情報が増加すると共に製造手順情報の管理が複雑となるという問題がある。
本発明の目的は、重複した情報の増加を防止することができると共に製造手順情報の管理を効率的に行うことができる製造手順情報管理方法及び製造手順情報管理プログラムを提供することである。
【課題を解決するための手段】
【０００７】
本発明の製造手順情報管理方法は、
製造すべき製品の製造手順情報を、コンピュータを用いて管理する製造手順情報管理方法において、
【０００８】
複数の仕様属性種のそれぞれに固有の仕様属性値を指定することで一意の製品を特定することができるように、予め任意に定めた前記仕様属性種の組を持つ製品の集合を系列製品群として管理し、
【０００９】
前記系列製品群の製造手順を、
１つ以上の前記仕様属性種を有し前記仕様属性値に応じて加工手順が決定される仕様別加工手順群、又は、前記仕様属性値によらず予め決定されている加工手順、の順列と、
【００１０】
前記仕様別加工手順又は前記加工手順で使用される、１つ以上の前記仕様属性種を有し前記仕様属性値に応じて部品が決定される仕様別部品群、又は、前記仕様属性値によらず予め決定されている部品と、
【００１１】
前記仕様別加工手順又は前記加工手順の詳細を表した、１つ以上の前記仕様属性種を有し前記仕様属性値に応じて説明情報が決定される仕様別説明情報群、又は、前記仕様属性値によらず予め決定されている説明情報と、
を含むように管理するようにする。
【００１２】
本発明の製造手順情報管理プログラムは、
製造すべき製品の製造手順情報の管理をコンピュータに行わせるための製造手順情報管理プログラムにおいて、
【００１３】
複数の仕様属性種のそれぞれに固有の仕様属性値を指定することで一意の製品を特定することができるように、予め任意に定めた前記仕様属性種の組を持つ製品の集合を系列製品群として管理する機能と、
【００１４】
前記系列製品群の製造手順を、
１つ以上の前記仕様属性種を有し前記仕様属性値に応じて加工手順が決定される仕様別加工手順群、又は、前記仕様属性値によらず予め決定されている加工手順、の順列と、
【００１５】
前記仕様別加工手順又は前記加工手順で使用される、１つ以上の前記仕様属性種を有し前記仕様属性値に応じて部品が決定される仕様別部品群、又は、前記仕様属性値によらず予め決定されている部品と、
【００１６】
前記仕様別加工手順又は前記加工手順の詳細を表した、１つ以上の前記仕様属性種を有し前記仕様属性値に応じて説明情報が決定される仕様別説明情報群、又は、前記仕様属性値によらず予め決定されている説明情報と、
【００１７】
を含むように管理する機能と、
を実現する構成とする。
【発明の効果】
【００１８】
本発明によれば、重複した情報の増加を防止することができると共に製造手順情報の管理を効率的に行うことができる。
【図面の簡単な説明】
【００１９】
【図１】本発明の一実施の形態に係る製造手順情報管理プログラムが配置されるコンピュータのハードウェア構成を示す概念図である。
【図２】本発明の一実施の形態における製造手順情報データベースの構成を説明するための概念図である。
【図３】本発明の一実施の形態における仕様属性種と仕様属性値との組み合わせの例を示す図表である。
【図４】製品の製造手順を概念的に表した図である。
【図５Ａ】本発明の一実施の形態における部品クラスと仕様別部品群クラスとの関係をＵＭＬ（Unified Modeling Language）記法で表記した図である。
【図５Ｂ】本発明の一実施の形態における加工手順クラスと仕様別加工手順群クラスとの関係をＵＭＬ記法で表記した図である。
【図５Ｃ】本発明の一実施の形態における説明文クラスと仕様別説明文群クラスとの関係をＵＭＬ記法で表記した図である。
【図５Ｄ】本発明の一実施の形態における説明図クラスと仕様別説明図群クラスとの関係をＵＭＬ記法で表記した図である。
【図６】本発明の一実施の形態における系列製品群製造手順の表現方法を示す図である。
【図７Ａ】本発明の一実施の形態における仕様別部品群を説明するための説明図である。
【図７Ｂ】本発明の一実施の形態における仕様別加工手順群を説明するための説明図である。
【図８】本発明の一実施の形態における製品製造手順の表現方法を示す図である。
【図９】本発明の一実施の形態における製造手順情報を編集する画面を示す図である。
【図１０】本発明の一実施の形態における製造手順情報を参照する画面を示す図である。
【発明を実施するための最良の形態】
【００２０】
以下、本発明の一実施の形態に係る、製造手順情報管理方法及び製造手順情報管理プログラムついて、図面を参照しながら説明する。
本実施の形態に係る製造手順情報管理方法は、図１に示すようなコンピュータ１００で動作する製造手順情報管理プログラム、製造手順情報データベース等により実現される。
【００２１】
コンピュータ１００は、中央処理装置（ＣＰＵ）１１０と、記憶装置１４０と、入力装置１２０と、出力装置１３０とを備えるごく標準的なコンピュータである。
記憶装置１４０は、コンピュータ１００が処理するデータを一定期間保持するための装置であり、主記憶装置１４１及び補助記憶装置１４２を有する。
【００２２】
主記憶装置１４１は、中央処理装置（ＣＰＵ）１１０と直接アクセスを行う記憶装置であり、一般には高速で動作する揮発性の半導体メモリ等から構成される。
補助記憶装置１４２は、プログラムやデータを永続的に保持するための装置であり、例えば、ハードディスクドライブ、フロッピー（登録商標）ディスクドライブ等を用いることができる。また、補助記憶装置１４２は、製造手順情報データベースとして機能する。
【００２３】
入力装置１２０は、ユーザからの指示に応じてデータをコンピュータ１００に入力する装置であり、例えば、キーボード、マウス等を含む。
出力装置１３０は、コンピュータ１００のデータを出力する装置であり、例えば、ディスプレイ等の表示装置、プリンタ等の印刷装置などを含む。
【００２４】
製造手順情報管理プログラムは、図９に示すようなＧＵＩ（Graphical User Interface：グラフィカルユーザインターフェース）を持ったプログラムであり、主記憶装置１４１に配置され実行される。
【００２５】
図２は、本発明の一実施の形態における製造手順情報データベースの構成を説明するための概念図である。
図２において、予め任意に定めた仕様属性種の組を持つ製品の集合を系列製品群として定義する。この系列製品群は、類似した構成を備える製品の集合であり、例えば、デジタルカメラシリーズ等のように同種の装置からなる集合として管理する。ここで、「管理」には、情報の記憶のほか、出力、追加、削除、編集等を含む。
【００２６】
仕様属性種は、予め任意に定めた仕様属性値の組み合わせを持つように定義する。これにより、任意の系列製品群が持つ仕様属性種の組に対して、固有の仕様属性値を指定することで一意の製品を特定する。
【００２７】
図２に示す例では、系列製品群Ｐｒｏｄ（ｘ，ｙ，ｚ）は、３つの仕様属性種ｘ，ｙ，ｚの組を持つ。
仕様属性種ｘは仕様属性値１，２，３のいずれかの値を、仕様属性種ｙはα，βのいずれかの値を、仕様属性種ｚは仕様属性値イ，ロ，ハ，ニのいずれかの値を、それぞれとり得るように構成する。
【００２８】
ここで、系列製品群Ｐｒｏｄ（ｘ，ｙ，ｚ）は、変数ｘ，ｙ，ｚによって与えられる関数と考えることができ、変数である使用属性種ｘ，ｙ，ｚにそれぞれ仕様属性値１，β，ニという固有の値を指定することで、一意の製品であるＰｒｏｄ（１，β，ニ）を得ることができる。
【００２９】
図３は、本発明の一実施の形態における仕様属性種と仕様属性値との組み合わせの例を示す図表である。
仕様属性種ｘが光学倍率という仕様の種類に対応しているとすると、仕様属性値１，２，３は、例えば、×２．０，×３．０，×５．０といった光学倍率がとり得る実際の値に対応させる。
【００３０】
この点は、外装色や表示言語といった仕様属性種と、それらがとり得る実際の仕様属性値（ホワイト及びブラック、並びに、日本語、英語、ドイツ語及び中国語）との関係も同様である。
【００３１】
例えば、ある系列製品群「デジタルカメラシリーズ」が光学倍率、外装色及び表示言語の３つの仕様属性種という可変値を持ち、この可変値に具体的な値、例えば、×２．０，ホワイト，日本語という固有の仕様属性値を与えることで、例えば「デジタルカメラＡ１」といった製品を一意に特定することができる。
【００３２】
次に、製品の製造手順情報について説明する。
図４は、製品の製造手順を概念的に表した図である。
一般に製品の製造手順情報は、加工手順の順列と、加工手順で使用される部品との関係付けと、加工手順を表した説明情報としての説明文及び説明図とで定義されるものである。
【００３３】
ここで、系列製品群の製造手順情報を定義するため、部品、加工手順、説明文及び説明図をそれぞれ拡張した概念である仕様別部品群、仕様別加工手順群、仕様別説明文群及び仕様別説明図群を導入する。
【００３４】
図５Ａ〜図５Ｄは、本発明の一実施の形態における部品クラス等と仕様別部品群クラス等との関係をＵＭＬ（Unified Modeling Language）記法で表記した図である。
本実施の形態では、製造手順情報管理プログラムは、オブジェクト指向言語によって実装されている。
【００３５】
図５Ａにおいて、仕様別部品群クラス２０１は部品クラス２００を継承しており、製造手順情報管理プログラムは仕様別部品群クラス２０１を部品クラス２００として扱うことができる。
【００３６】
なお、図５Ｂに示す加工手順クラス２０２と仕様別加工手順群クラス２０３との関係、図５Ｃに示す説明文クラス２０４と仕様別説明文群クラス２０５との関係、及び、図５Ｄに示す説明図クラス２０６と仕様別説明図群クラス２０７との関係についても、部品クラス２００と仕様別部品群クラス２０１との関係と同様のことがいえる。
【００３７】
仕様別部品群、仕様別加工手順群、仕様別説明文群及び仕様別説明図群は、属する系列製品群が持っている使用属性種のうちいずれか１つ又は複数を持つように構成される。
系列製品群の製造手順情報は、図６に示すように、仕様属性値に応じて加工手順が決定される仕様別加工手順群又は仕様属性値によらず予め決定されている加工手順、の順列と、仕様別加工手順又は加工手順で使用される、仕様属性値に応じて部品が決定される仕様別部品群又は仕様属性値によらず予め決定されている部品と、仕様別加工手順又は加工手順の詳細を表した、仕様属性値に応じて説明情報が決定される仕様別説明情報群としての仕様別説明文群及び仕様別説明図群又は仕様属性値によらず予め決定されている説明情報としての説明文及び説明図と、を含むように管理する。
【００３８】
すなわち、系列製品群の製造手順情報は、加工手順又は仕様別加工手順群の順列と、加工手順又は仕様別加工手順で使用される部品又は仕様別部品群の関係付けと、加工手順の詳細を説明した説明文又は使用別説明文群と、加工手順の詳細を図示した説明図又は仕様別説明図群で定義される。
【００３９】
一例として、使用別部品群について図７Ａを用いて説明する。なお、仕様別加工手順群（図７Ｂ参照）、仕様別説明文群及び仕様別説明図群と、それらが持つ仕様属性種によって与えられる加工手順、説明分及び説明図との関係についても同様である。
【００４０】
図２の系列製品群（ｘ，ｙ，ｚ）の製造手順を図６の系列製品群製造手順ＰＰ（ｘ，ｙ，ｚ）とした場合、系列製品群製造手順ＰＰ（ｘ，ｙ，ｚ）で使用されている仕様別部品群１Ｐａｒｔ１（ｘ）は、属する系列製品群Ｐｒｏｄ（ｘ，ｙ，ｚ）が持つ仕様属性種ｘ，ｙ，ｚの組のうち、仕様属性種ｘを持っている。このとき、系列製品群の場合と同様に仕様別部品群１Ｐａｒｔ１（ｘ）は変数ｘによって与えられる関数と考えることができる。
【００４１】
系列製品群Ｐｒｏｄ（ｘ，ｙ，ｚ）が持つ仕様属性種ｘに固有の値１を与えると、同様の値が仕様別部品群１Ｐａｒｔ１（ｘ）にも与えられ、これによって一意の部品であるＰａｒｔ１（１）を得ることができる。
【００４２】
これにより、系列製品群製造手順ＰＰ（ｘ，ｙ，ｚ）が持つ仕様属性種ｘ，ｙ，ｚに対して、１，β，ニという固有の値を指定することで、図８に示すような製品製造手順ＰＰ（１，β，ニ）を一意に特定することができる。
【００４３】
［編集を行う手順］
次に、図９を用いて実際に系列製品群の製造手順を編集する方法について説明する。
上述したとおり、製造手順情報管理プログラムは図９に示すようなＧＵＩを持つプログラムである。
【００４４】
ＧＵＩは、編集用コントロール表示部３０１と、製造手順表示部３０２と、説明文・説明図表示部３０３と、仕様属性種・仕様属性値表示部３０９と、系列製品群名表示部３０８と、使用部品一覧表示部３０４と、仕様別プロパティ表示部３０５とを備える。
【００４５】
編集用コントロール表示部３０１には、加工手順アイコンＩ１０１、仕様別加工手順群アイコンＩ１０２、完成品を示す完成品アイコンＩ１０３、仕様別部品群アイコンＩ１０４、説明図アイコンＩ１０５、仕様別説明図群アイコンＩ１０６、説明文アイコンＩ１０７、及び、仕様別説明文群アイコンＩ１０８が配置されている。
【００４６】
初期状態においては、製造手順表示部３０２及び説明文・説明図表示部３０３は空白となっている。
使用部品一覧表示部３０４には、編集対象の系列製品群の製造に必要な部品が予め設定されて表示されている。具体的には、使用部品一覧表示部３０４には、部品コード（Ｐ００１〜Ｐ００４）、名称（部品ａ，ｂ，マニピュレータＡ，Ｂ）、数量（各部品を使うべき総数）、使用数が行ごとに記載されている。使用部品一覧表示部３０４に記載されている数量は、各部品の系列製品群の製造のために使うべき総数のことである。また使用部品一覧表示部３０４に記載されている使用数は、後述する加工手順図形と部品図形との関連付けが行われた部品の数のことである。
【００４７】
仕様属性種・仕様属性値表示部３０９には、編集対象の系列製品群に関係付けられた仕様属性種と、それぞれの仕様属性種がとり得る仕様属性値の値が予め表示されている。図９の仕様属性種は仕向け地及び電源電圧であり、仕向け地に対応する仕様属性値がサイド１，２、電源電圧に対応する仕様属性値が１００Ｖ，２００Ｖである。
【００４８】
［加工手順を配置する操作］
製造手順書に加工手順を配置する場合、システムの利用者は、編集用コントロール表示部３０１上の加工手順アイコンＩ１０１を製造手順表示部３０２にドラッグする。この操作により、製造手順情報管理プログラムは、製造手順表示部３０２上に新しい加工手順図形Ｐｒｏｃ１（例えば、組み付け）を描画する。
【００４９】
さらに手順を追加する場合は、システムの利用者は、再度、加工手順アイコンＩ１０１を製造手順表示部３０２にドラッグする。この操作により、製造手順情報管理プログラムは、製造手順表示部３０２上に新しい加工手順図形Ｐｒｏｃ２（例えば、接着）を描画する。
【００５０】
製造手順書に仕様別加工手順群を配置する場合、システムの利用者は、編集用コントロール表示部３０１上の仕様別加工手順群アイコンＩ１０２を製造手順表示部３０２にドラッグする。この操作により、製造手順管理プログラムは、製造手順表示部３０２上に新しい仕様別加工手順群図形ＰｒｏｃＨｏｌｄｅｒ１（例えば、仕向け地別塗装）を製造手順書に描画する。
【００５１】
システムの利用者は、上述の操作を繰り返すことで、任意の数の加工手順及び仕様別加工手順群を製造手順書に描画することができる。なお、製造手順書の頁は、１枚以上の任意の数とすることができ、システムの利用者による追加及び削除を行うこともできる。
【００５２】
［加工手順に部品を関連付ける操作］
加工手順に対し、その加工手順で使用する部品を関連付ける場合、システムの利用者は、使用部品一覧表示部３０４に表示されている部品のリストから任意の１つの部品を選択し、製造手順表示部３０２上に描画されている加工手順図形にドラッグする。
【００５３】
例として、加工手順図形Ｐｒｏｃ１に部品ａをドラッグした場合、製造手順情報管理プログラムは、製造手順表示部３０２上に新しい部品図形Ｐａｒｔ１と上記部品の名称“部品ａ”を描画し、加工手順図形Ｐｒｏｃ１と部品図形Ｐａｒｔ１とをコネクタ線で接続する。
【００５４】
加工手順図形と部品図形との関連付けが行われると、使用部品一覧表示部３０４は、使用された部品の使用数を１つ加算する。このとき、使用数と数量とが同数になった部品は、これ以降選択ができないよう制御を行う。
【００５５】
加工手順に対し、仕様別部品群を関連付ける場合、システムの利用者は、編集用コントロール表示部３０１上の仕様別部品群アイコンＩ１０４を選択し、製造手順表示部３０２上に描画されている加工手順図形にドラッグする。
【００５６】
例として、加工手順図形Ｐｒｏｃ１に仕様別部品群アイコンＩ１０４をドラッグした場合、製造手順情報管理プログラムは、製造手順表示部３０２上に新しい仕様別部品群図形ＰａｒｔＨｏｌｄｅｒ１（例えば、マニピュレータ）を描画し、加工手順図形Ｐｒｏｃ１と使用別部品群図形ＰａｒｔＨｏｌｄｅｒ１とをコネクタ線で接続する。
【００５７】
この操作においては、１つの手順図形に対して複数の部品を関連付けることが可能となっている。システムの利用者は、上述の操作を繰り返すことで、製品に使用されるべき部品の数を正確に管理しながら、部品を手順図形に関連付けることができる。
【００５８】
［加工手順に説明文を関連付ける操作］
加工手順に対し、その加工手順を説明する説明文を関連付ける場合、システムの利用者は、編集用コントロール表示部３０１上の説明文アイコンＩ１０７を、製造手順表示部３０２上に描画されている加工手順図形にドラッグする。
【００５９】
例として、加工手順図形Ｐｒｏｃ１に説明文アイコンＩ１０７をドラッグした場合、製造手順情報管理プログラムは、説明文・説明図表示部３０３上に新しい説明文編集領域Ｅｘｐ１を配置する。この説明文編集領域Ｅｘｐ１は、利用者からの入力を受け付けることで任意の文章を記述することができる。
【００６０】
加工手順に対し、仕様別説明文群を関連付ける場合、システムの利用者は、編集用コントロール表示部３０１上の仕様別説明文群アイコンＩ１０８を選択し、製造手順表示部３０２上に描画されている加工手順図形にドラッグする。
【００６１】
例として、加工手順図形Ｐｒｏｃ２に仕様別説明文群アイコンＩ１０８をドラッグした場合、製造手順情報管理プログラムは、説明文・説明図表示部３０３上に新しい仕様別説明文編集領域ＥｘｐＨｏｌｄｅｒ１を配置する。この操作においては、１つの加工手順図形に対して複数の説明文を関連付けることが可能である。
【００６２】
［加工手順に説明図を関連付ける操作］
加工手順に対し、その加工手順を図示した説明図を関連付ける場合、システムの利用者は、編集用コントロール表示部３０１上の説明図アイコンＩ１０５を、製造手順表示部３０２上に描画されている加工手順図形にドラッグする。
【００６３】
例として、加工手順図形Ｐｒｏｃ１に説明図アイコンＩ１０５をドラッグした場合、製造手順情報管理プログラムは、説明文・説明図表示部３０３上に新しい説明図編集領域Ｆｉｇ１を描画する。
【００６４】
加工手順に対し、仕様別説明図群を関連付ける場合、システムの利用者は、編集用コントロール表示部３０１上の仕様別説明図群アイコンＩ１０６を選択し、製造手順表示部３０２上に描画されている加工手順図形にドラッグする。
【００６５】
例として、加工手順図形Ｐｒｏｃ２に仕様別説明図群アイコンＩ１０６をドラッグした場合、製造手順情報管理プログラムは、説明文・説明図表示部３０３上に新しい仕様別説明図編集領域ＦｉｇＨｏｌｄｅｒ１を配置する。この操作においては、１つの手順図形に対して複数の作業図を関連付けることが可能である。
【００６６】
なお、以下においては、仕様別部品群図形、仕様別加工手順群図形、仕様別説明文図形及び仕様別説明図図形を総称して「仕様別図形」と記す。
［仕様別図形を編集する操作］
【００６７】
仕様別図形を編集する場合、システムの利用者は、製造手順表示部３０２又は説明文・説明図表示部３０３に表示された仕様別図形を選択する。仕様別図形が選択されると、製造手順情報管理プログラムは、仕様別プロパティ表示部３０５を利用可能とする。
【００６８】
仕様別図形意外が選択されている場合は、仕様別プロパティ表示部３０５は利用不可となっている。
次に、システムの利用者は、選択した仕様別図形に設定する仕様属性種を決定する。このとき、仕様属性種リスト３０６には、予め系列製品群に設定されている仕様属性種である“仕向け地”及び“電源電圧”が保持されている。
【００６９】
システムの利用者は、仕様別プロパティ表示部３０５上の仕様属性種リスト３０６から任意の仕様属性種を選択する。使用属性種が選択されると、製造手順情報管理プログラムは、仕様別プロパティ表示部３０５上の仕様属性値リスト３０７に、選択された仕様属性種がとり得る使用属性値のリストを表示する。
【００７０】
また、システムの利用者は、表示された仕様属性値のリストから編集対象となる仕様属性値を選択する。仕様属性値が選択されると、選択中の仕様別図形が、選択された仕様属性値と関連付けされて編集可能となる。
【００７１】
この操作によって、仕様別図形は仕様属性種に対応する仕様属性値を与えられ、その仕様属性値に対応する部品、加工手順、説明文及び説明図を関連付けることができる。
［製品製造手順を参照する手順］
【００７２】
次に、これまでの編集操作で作成した系列製品群の製造手順を一意の製品の製造手順として参照する手順を説明する。
システムの利用者は、製造手順管理プログラムに対して、参照したい製品が属する系列製品群名と、参照したい製品に該当する仕様属性値とを指定する。実際に系列製品群名と、系列製品群が持つ仕様属性種に対して具体的な仕様属性値とを指定した場合、例えば図１０に示すような画面が表示され、システムの利用者は製品に対応した作業手順情報を得ることができ、必要に応じて製造手順書として出力する。
【００７３】
以上説明した本実施の形態では、上述のように、製造手順情報管理方法は、複数の仕様属性種（ｘ，ｙ，ｚ）のそれぞれに固有の仕様属性値（１，β，ニ）を指定することで一意の製品（例えば、製品Ｐｒｏｄ（１，β，ニ））を特定することができるように、予め任意に定めた仕様属性種（ｘ，ｙ，ｚ）の組を持つ製品の集合を系列製品群として管理する。
【００７４】
また、図６に示すように、本実施の形態の製造手順情報管理方法は、系列製品群の製造手順（ＰＰ（ｘ，ｙ，ｚ））を、仕様属性種（ｘ，ｙ，ｚ）を有し仕様属性値に応じて加工手順が決定される仕様別加工手順群（Ｐｒｏｃ１（ｙ））、又は、仕様属性値によらず予め決定されている加工手順（部品ａ，ｂ）、の順列と、仕様別加工手順又は加工手順で使用される、仕様属性種を有し仕様属性値に応じて部品が決定される仕様別部品群（Ｐａｒｔ１（ｘ），Ｐａｒｔ２（ｚ））、又は、仕様属性値によらず予め決定されている部品（部品ａ，ｂ）と、仕様別加工手順又は加工手順の詳細を表した、仕様属性種を有し仕様属性値に応じて説明情報が決定される仕様別説明情報群（Ｅｘｐ１（ｘ），Ｅｘｐ２（ｙ），Ｆｉｇ１（ｘ））、又は、仕様属性値によらず予め決定されている説明情報（説明文１，説明図１，２）と、を含むように管理している。
【００７５】
よって、本発明によれば、重複した情報の増加を防止することができると共に製造手順情報の管理を効率的に行うことができる。
また、本実施の形態では、上記説明情報は、加工手順の詳細を表した説明文（仕様別説明文群１，２、説明文１）を含む。そのため、製造手順情報の管理をより一層効率的に行うことができる。
【００７６】
また、本実施の形態では、上記説明情報は、加工手順の詳細を表した説明図（仕様別説明図群１、説明図１，２）を含む。そのため、製造手順情報の管理をより一層効率的に行うことができる。
【００７７】
なお、本実施の形態では、製造手順情報に含まれる説明情報が説明文及び説明図である場合を例に説明したが、説明情報としては、製品が製造される環境によって変化する環境依存情報を含むようにしてもよい。
【００７８】
この環境依存情報は、製品が製造される環境に応じて決定される。この決定された環境依存情報によって、特定の製品の特定の環境での説明情報を一意に特定する。そのため、環境依存情報は、他の製造手順情報と分離して管理され、配置される環境によって一律に決定される情報とするか、あるいは、仕様属性値と同様に、システムの利用者が入力して決定される情報とするとよい。
【００７９】
環境依存情報を用いることで、例えば、ネジ締め工程の場合、ネジ締めを環境依存情報に設定することで、ある工場では電動ドライバを使う設定にし、他の工場ではドライバを使う設定にすることなどが可能となる。したがって、製造手順情報の管理をより一層効率的に行うことができる。
【符号の説明】
【００８０】
１００      コンピュータ
１１０      中央処理装置（ＣＰＵ）
１２０      入力装置
１３０      出力装置
１４０      記憶装置
１４１      主記憶装置
１４２      補助記憶装置
２００      部品クラス
２０１      仕様別部品群クラス
２０２      加工手順クラス
２０３      仕様別加工手順群クラス
２０４      説明文クラス
２０５      仕様別説明文群クラス
２０６      説明図クラス
２０７      仕様別説明図群クラス
３０１      編集用コントロール表示部
３０２      製造手順表示部
３０３      説明文・説明図表示部
３０４      使用部品一覧表示部
３０５      仕様別プロパティ表示部
３０６      仕様属性種リスト
３０７      仕様属性値リスト
３０８      系列製品群名表示部
３０９      仕様属性種・仕様属性値表示部
【図１】
2011003115.tif 000003
【図２】
2011003115.tif 000004
【図３】
2011003115.tif 000005
【図４】
2011003115.tif 000006
【図５Ａ】
2011003115.tif 000007
【図５Ｂ】
2011003115.tif 000008
【図５Ｃ】
2011003115.tif 000009
【図５Ｄ】
2011003115.tif 000010
【図６】
2011003115.tif 000011
【図７Ａ】
2011003115.tif 000012
【図７Ｂ】
2011003115.tif 000013
【図８】
2011003115.tif 000014
【図９】
2011003115.tif 000015
【図１０】
2011003115.tif 000016